【事件の表示】
　特許第６３８８０９８号発明「エレベーターの監視画像送信装置」の特許異議申立事件について、次のとおり決定する。
【結　論】
　特許第６３８８０９８号の明細書及び特許請求の範囲を訂正請求書に添付された訂正明細書及び特許請求の範囲及び図面のとおり訂正後の請求項〔１−１２〕について訂正することを認める。
　特許第６３８８０９８号の請求項３、及び６ないし１２に係る特許を維持する。
　特許第６３８８０９８号の請求項１、２、４及び５に係る特許についての特許異議の申立てを却下する。
【理　由】
第１　手続の経緯
　特許６３８８０９８号の請求項１〜９に係る特許についての出願は、２０１７年１１月１３日を国際出願日とする出願であって、平成３０年８月２４日に特許権の設定登録がされ、同年９月１２日に特許掲載公報が発行され、その後、平成３１年３月１１日に、その請求項１、２、４及び５に係る特許に対し特許異議申立人豊田誠（以下「異議申立人」という。）により特許異議の申立てがされ、令和１年５月２８日付けで取消理由が通知され（以下「取消理由通知」という。）、その指定期間内である令和１年７月２６日に意見書の提出及び訂正の請求（以下「本件訂正」という。）があったものである。
　なお、異議申立人は特許異議申立書の意見書提出希望の有無の欄において、「希望する。」としているものの、後述の「第２」及び「第５」に記載するように、本件訂正は、実質的に一部の請求項の削除のみであって、その結果、特許異議申立てがされていない請求項の発明特定事項を含む発明のみとなり、異議申立人の意見を聞くまでもない場合に該当することが明らかであって、特許法第１２０条の５第５項ただし書に規定される「特別の事情があるとき」にあたることから、異議申立人に意見書を提出する機会を与える必要はないものである。
　　　　　
第２　訂正の適否についての判断
　１　訂正の内容
　本件訂正の内容は以下のとおりである。
（１）訂正事項１
　特許請求の範囲の請求項１を削除する。
　　　　　
（２）訂正事項２
　特許請求の範囲の請求項２を削除する。
　　　　　
（３）訂正事項３
　特許請求の範囲の請求項３に、「前記画像管理部は、前記画像解析サーバによる画像解析の結果に基づいて画像選択ルールを修正する請求項１又は請求項２に記載のエレベーターの監視画像送信装置。」とあるうち、請求項１を引用するものについて、独立形式に改め、
「
エレベーターで発生するイベントを示す信号の入力を受け付けるイベント入力部と、
　
エレベーターのかご内及び乗場の少なくとも一方に設置されたカメラで撮影された画像のうち前記イベント入力部によって信号が受信されたタイミングを基準とした特定の時点又は期間における画像を画像選択ルールに従って選択する画像管理部と、
　
前記カメラで常時撮影されている画像のうち、前記画像管理部によって選択された画像を画像解析サーバに対してネットワークを介して送信し、前記画像管理部によって選択されなかった画像を前記画像解析サーバに対して送信しない画像送信部と、
を備え、
　前記画像管理部は、前記画像解析サーバによる画像解析の結果に基づいて画像選択ルールを修正す
るエ
　　　　　
（４）訂正事項４
　特許請求の範囲の請求項４を削除する。
　　　　　
（５）訂正事項５
　特許請求の範囲の請求項５を削除する。
　　　　　
（６）訂正事項６
　特許請求の範囲の請求項６に、「前記イベント入力部は、エレベーターの秤センサ及びドアセンサの少なくとも一方の出力信号を受信する請求項１から請求項５のいずれか１項に記載のエレベーターの監視画像送信装置。」とあるうち、請求項１を引用するものについて、独立形式に改め、
「
エレベーターで発生するイベントを示す信号の入力を受け付けるイベント入力部と、
　
エレベーターのかご内及び乗場の少なくとも一方に設置されたカメラで撮影された画像のうち前記イベント入力部によって信号が受信されたタイミングを基準とした特定の時点又は期間における画像を画像選択ルールに従って選択する画像管理部と、
　
前記カメラで常時撮影されている画像のうち、前記画像管理部によって選択された画像を画像解析サーバに対してネットワークを介して送信し、前記画像管理部によって選択されなかった画像を前記画像解析サーバに対して送信しない画像送信部と、
を備え、
　前記イベント入力部は、エレベーターの秤センサ及びドアセンサの少なくとも一方の出力信号を受信す
るエ
　　　　　
（７）訂正事項７
　特許請求の範囲の請求項７に、「前記イベント入力部は、エレベーターのかご内ボタン及び乗場ボタンの少なくとも一方が操作されたことを示す信号を受信する請求項１から請求項６のいずれか１項に記載のエレベーターの監視画像送信装置。」とあるうち、請求項１を引用するものについて、独立形式に改め、
「
エレベーターで発生するイベントを示す信号の入力を受け付けるイベント入力部と、
　
エレベーターのかご内及び乗場の少なくとも一方に設置されたカメラで撮影された画像のうち前記イベント入力部によって信号が受信されたタイミングを基準とした特定の時点又は期間における画像を画像選択ルールに従って選択する画像管理部と、
　
前記カメラで常時撮影されている画像のうち、前記画像管理部によって選択された画像を画像解析サーバに対してネットワークを介して送信し、前記画像管理部によって選択されなかった画像を前記画像解析サーバに対して送信しない画像送信部と、
を備え、
　前記イベント入力部は、エレベーターのかご内ボタン及び乗場ボタンの少なくとも一方が操作されたことを示す信号を受信す
るエ
　　　　　
（８）訂正事項８
　特許請求の範囲の請求項８に、「前記イベント入力部は、エレベーターの非常ボタンが操作されたことを示す信号を受信する請求項１から請求項７のいずれか１項に記載のエレベーターの監視画像送信装置。」とあるうち、請求項１を引用するものについて、独立形式に改め、
「
エレベーターで発生するイベントを示す信号の入力を受け付けるイベント入力部と、
　
エレベーターのかご内及び乗場の少なくとも一方に設置されたカメラで撮影された画像のうち前記イベント入力部によって信号が受信されたタイミングを基準とした特定の時点又は期間における画像を画像選択ルールに従って選択する画像管理部と、
　
前記カメラで常時撮影されている画像のうち、前記画像管理部によって選択された画像を画像解析サーバに対してネットワークを介して送信し、前記画像管理部によって選択されなかった画像を前記画像解析サーバに対して送信しない画像送信部と、
を備え、
　前記イベント入力部は、エレベーターの非常ボタンが操作されたことを示す信号を受信す
るエ
　　　　　
（９）訂正事項９
　特許請求の範囲の請求項９に、「前記イベント入力部は、エレベーターの地震感知器の出力信号を受信する請求項１から請求項８のいずれか１項に記載のエレベーターの監視画像送信装置。」とあるうち、請求項１を引用するものについて、独立形式に改め、
「
エレベーターで発生するイベントを示す信号の入力を受け付けるイベント入力部と、
　
エレベーターのかご内及び乗場の少なくとも一方に設置されたカメラで撮影された画像のうち前記イベント入力部によって信号が受信されたタイミングを基準とした特定の時点又は期間における画像を画像選択ルールに従って選択する画像管理部と、
　
前記カメラで常時撮影されている画像のうち、前記画像管理部によって選択された画像を画像解析サーバに対してネットワークを介して送信し、前記画像管理部によって選択されなかった画像を前記画像解析サーバに対して送信しない画像送信部と、
を備え、
　前記イベント入力部は、エレベーターの地震感知器の出力信号を受信す
るエ
　　　　　
（１０）訂正事項１０
　特許請求の範囲の請求項２に、「前記画像管理部は、前記イベント入力部によって受信された信号が示すイベントの種類に応じて異なる画像選択ルールに従って画像を選択する請求項１に記載のエレベーターの監視画像送信装置。」とあるうち、引用する請求項を訂正し、
「
前記画像管理部は、前記イベント入力部によって受信された信号が示すイベントの種類に応じて異なる画像選択ルールに従って画像を選択する請求項３、請求項６、請求項７、請求項８、請求項９のいずれか１項に記載のエレベーターの監視画像送信装置。
　　　　　
（１１）訂正事項１１
　特許請求の範囲の請求項４に、「前記画像管理部は、前記イベント入力部によって受信された信号が示すイベントの種類に応じて、選択する画像の画質を変化させる請求項１から請求項３のいずれか１項に記載のエレベーターの監視画像送信装置。」とあるうち、引用する請求項を訂正し、
「
前記画像管理部は、前記イベント入力部によって受信された信号が示すイベントの種類に応じて、選択する画像の画質を変化させる請求項３、請求項６、請求項７、請求項８、請求項９、請求項１０のいずれか１項に記載のエレベーターの監視画像送信装置。
　　　　　
（１２）訂正事項１２
　特許請求の範囲の請求項５に、「前記画像管理部は、前記イベント入力部によって受信された信号が示すイベントの種類に応じて送信タイミングを決定し、前記画像送信部は、前記画像管理部によって決定された送信タイミングで前記画像解析サーバに対して画像を送信する請求項１から請求項４のいずれか１項に記載のエレベーターの監視画像送信装置。」とあるうち、引用する請求項を訂正し、
「
前記画像管理部は、前記イベント入力部によって受信された信号が示すイベントの種類に応じて送信タイミングを決定し、
　
前記画像送信部は、前記画像管理部によって決定された送信タイミングで前記画像解析サーバに対して画像を送信する請求項３、請求項６、請求項７、請求項８、請求項９、請求項１０、請求項１１のいずれか１項に記載のエレベーターの監視画像送信装置。
　　　　　
（１３）訂正事項１３
　明細書の段落【０００６】に、「この発明に係るエレベーターの監視画像送信装置は、エレベーターで発生するイベントを示す信号の入力を受け付けるイベント入力部と、エレベーターのかご内及び乗場の少なくとも一方に設置されたカメラで撮影された画像のうちイベント入力部によって信号が受信されたタイミングを基準とした特定の時点又は期間における画像を画像選択ルールに従って選択する画像管理部と、カメラで常時撮影されている画像のうち、画像管理部によって選択された画像を画像解析サーバに対してネットワークを介して送信し、画像管理部によって選択されなかった画像を画像解析サーバに対して送信しない画像送信部と、を備える。」と記載されているのを、
「この発明に係るエレベーターの監視画像送信装置は、エレベーターで発生するイベントを示す信号の入力を受け付けるイベント入力部と、エレベーターのかご内及び乗場の少なくとも一方に設置されたカメラで撮影された画像のうちイベント入力部によって信号が受信されたタイミングを基準とした特定の時点又は期間における画像を画像選択ルールに従って選択する画像管理部と、カメラで常時撮影されている画像のうち、画像管理部によって選択された画像を画像解析サーバに対してネットワークを介して送信し、画像管理部によって選択されなかった画像を画像解析サーバに対して送信しない画像送信部と、を備え
、前記画像管理部は、前記画像解析サーバによる画像解析の結果に基づいて画像選択ルールを修正する。
　
この発明に係るエレベーターの監視画像送信装置は、エレベーターで発生するイベントを示す信号の入力を受け付けるイベント入力部と、エレベーターのかご内及び乗場の少なくとも一方に設置されたカメラで撮影された画像のうちイベント入力部によって信号が受信されたタイミングを基準とした特定の時点又は期間における画像を画像選択ルールに従って選択する画像管理部と、カメラで常時撮影されている画像のうち、画像管理部によって選択された画像を画像解析サーバに対してネットワークを介して送信し、画像管理部によって選択されなかった画像を画像解析サーバに対して送信しない画像送信部と、を備え、前記イベント入力部は、エレベーターの秤センサ及びドアセンサの少なくとも一方の出力信号を受信する。
　
この発明に係るエレベーターの監視画像送信装置は、エレベーターで発生するイベントを示す信号の入力を受け付けるイベント入力部と、エレベーターのかご内及び乗場の少なくとも一方に設置されたカメラで撮影された画像のうちイベント入力部によって信号が受信されたタイミングを基準とした特定の時点又は期間における画像を画像選択ルールに従って選択する画像管理部と、カメラで常時撮影されている画像のうち、画像管理部によって選択された画像を画像解析サーバに対してネットワークを介して送信し、画像管理部によって選択されなかった画像を画像解析サーバに対して送信しない画像送信部と、を備え、前記イベント入力部は、エレベーターのかご内ボタン及び乗場ボタンの少なくとも一方が操作されたことを示す信号を受信する。
　
この発明に係るエレベーターの監視画像送信装置は、エレベーターで発生するイベントを示す信号の入力を受け付けるイベント入力部と、エレベーターのかご内及び乗場の少なくとも一方に設置されたカメラで撮影された画像のうちイベント入力部によって信号が受信されたタイミングを基準とした特定の時点又は期間における画像を画像選択ルールに従って選択する画像管理部と、カメラで常時撮影されている画像のうち、画像管理部によって選択された画像を画像解析サーバに対してネットワークを介して送信し、画像管理部によって選択されなかった画像を画像解析サーバに対して送信しない画像送信部と、を備え、前記イベント入力部は、エレベーターの非常ボタンが操作されたことを示す信号を受信する。
　
この発明に係るエレベーターの監視画像送信装置は、エレベーターで発生するイベントを示す信号の入力を受け付けるイベント入力部と、エレベーターのかご内及び乗場の少なくとも一方に設置されたカメラで撮影された画像のうちイベント入力部によって信号が受信されたタイミングを基準とした特定の時点又は期間における画像を画像選択ルールに従って選択する画像管理部と、カメラで常時撮影されている画像のうち、画像管理部によって選択された画像を画像解析サーバに対してネットワークを介して送信し、画像管理部によって選択されなかった画像を画像解析サーバに対して送信しない画像送信部と、を備え、前記イベント入力部は、エレベーターの地震感知器の出力信号を受信する。
　　　　　
　訂正前の請求項１〜９について、請求項２〜９は、請求項１を直接的又は間接的に引用しているものであって、訂正事項１によって訂正される請求項１に連動して訂正されるものである。したがって、訂正前の請求項１〜９に対応する訂正後の請求項１〜１２は、特許法第１２０条の５第４項に規定する一群の請求項である。
　　　　　
　２　訂正の目的の適否、新規事項の有無、及び特許請求の範囲の拡張・変更の存否
（１）訂正事項１、２、４及び５について
　訂正事項１、２、４及び５は、訂正前の請求項１、２、４及び５を削除するものであるから、特許請求の範囲の減縮を目的とするものであり、新規事項の追加に該当せず、また、実質上特許請求の範囲を拡張し、又は変更するものでもない。
　　　　　
（２）訂正事項３について
　訂正事項３は、訂正前の請求項１を引用する請求項３を、独立形式の請求項にするとともに、訂正前の請求項２を引用するものを削除するものであるから、特許請求の範囲の減縮を目的とするとともに、他の請求項の記載を引用する請求項の記載を当該他の請求項の記載を引用しないものとすることを目的とするものであり、新規事項の追加に該当せず、また、実質上特許請求の範囲を拡張し、又は変更するものでもない。
　なお、訂正前の請求項２を引用する請求項３は、訂正後の請求項３に含まれないことになるものの、訂正後の請求項１０〜１２に含まれるので、この点については後述の「（７）」〜「（９）」において示す。
　　　　　
（３）訂正事項６について
　訂正事項６は、訂正前の請求項１を引用する請求項６を、独立形式の請求項にするとともに、訂正前の請求項２〜５を引用するものを削除するものであるから、特許請求の範囲の減縮を目的とするとともに、他の請求項の記載を引用する請求項の記載を当該他の請求項の記載を引用しないものとすることを目的とするものであり、新規事項の追加に該当せず、また、実質上特許請求の範囲を拡張し、又は変更するものでもない。
　なお、訂正前の請求項２〜５のいずれか１項を引用する請求項６は、訂正後の請求項６に含まれないことになるものの、訂正後の請求項１０〜１２に含まれるので、この点については後述の「（７）」〜「（９）」において示す。
　　　　　
（４）訂正事項７について
　訂正事項７は、訂正前の請求項１を引用する請求項７を、独立形式の請求項にするとともに、訂正前の請求項２〜６を引用するものを削除するものであるから、特許請求の範囲の減縮を目的とするとともに、他の請求項の記載を引用する請求項の記載を当該他の請求項の記載を引用しないものとすることを目的とするものであり、新規事項の追加に該当せず、また、実質上特許請求の範囲を拡張し、又は変更するものでもない。
　なお、訂正前の請求項２〜６のいずれか１項を引用する請求項７は、訂正後の請求項７に含まれないことになるものの、訂正後の請求項１０〜１２に含まれるので、この点については後述の「（７）」〜「（９）」において示す。
　　　　　
（５）訂正事項８について
　訂正事項８は、訂正前の請求項１を引用する請求項８を、独立形式の請求項にするとともに、訂正前の請求項２〜７を引用するものを削除するものであるから、特許請求の範囲の減縮を目的とするとともに、他の請求項の記載を引用する請求項の記載を当該他の請求項の記載を引用しないものとすることを目的とするものであり、新規事項の追加に該当せず、また、実質上特許請求の範囲を拡張し、又は変更するものでもない。
　なお、訂正前の請求項２〜７のいずれか１項を引用する請求項８は、訂正後の請求項８に含まれないことになるものの、訂正後の請求項１０〜１２に含まれるので、この点については後述の「（７）」〜「（９）」において示す。
　　　　　
（６）訂正事項９について
　訂正事項９は、訂正前の請求項１を引用する請求項９を、独立形式の請求項にするとともに、訂正前の請求項２〜８を引用するものを削除するものであるから、特許請求の範囲の減縮を目的とするとともに、他の請求項の記載を引用する請求項の記載を当該他の請求項の記載を引用しないものとすることを目的とするものであり、新規事項の追加に該当せず、また、実質上特許請求の範囲を拡張し、又は変更するものでもない。
　なお、訂正前の請求項２〜８のいずれか１項を引用する請求項９は、訂正後の請求項９に含まれないことになるものの、訂正後の請求項１０〜１２に含まれるので、この点については後述の「（７）」〜「（９）」において示す。
　　　　　
（７）訂正事項１０について
　訂正事項１０は、訂正前の従属形式の請求項２を、新たに従属形式の請求項１０へ改めるとともに、訂正前の請求項２に記載の発明特定事項を含む訂正前の請求項において、更に訂正前の請求項３、６、７、８及び９のいずれか１項に記載の発明特定事項を含むことを限定するものであるから、特許請求の範囲の減縮を目的とするものであり、新規事項の追加に該当せず、また、実質上特許請求の範囲を拡張し、又は変更するものでもない。
　　　　　
（８）訂正事項１１について
　訂正事項１１により訂正される請求項１１は、訂正後の請求項３、６、７、８、９及び１０のいずれか１項を引用している。
　ここで、訂正後の請求項１０は、請求項３、６、７、８及び９のいずれか１項を引用している。
　そうすると、訂正事項１１は、訂正前の従属形式の請求項４を、新たに従属形式の請求項１１へ改めるとともに、訂正前の請求項４に記載の発明特定事項を含む訂正前の請求項において、更に少なくとも訂正前の請求項３、６、７、８及び９のいずれか１項に記載の発明特定事項を含むことを限定するものであるから、特許請求の範囲の減縮を目的とするものであり、新規事項の追加に該当せず、また、実質上特許請求の範囲を拡張し、又は変更するものでもない。
　　　　　
（９）訂正事項１２について
　訂正事項１２により訂正される請求項１２は、訂正後の請求項３、６、７、８、９、１０及び１１のいずれか１項を引用している。
　ここで、訂正後の請求項１０は、請求項３、６、７、８及び９のいずれか１項を引用し、訂正後の請求項１１は、請求項３、６、７、８、９及び１０のいずれか１項を引用している。
　そうすると、訂正事項１２は、訂正前の従属形式の請求項５を、新たに従属形式の請求項１２へ改めるとともに、訂正前の請求項５に記載の発明特定事項を含む訂正前の請求項において、更に少なくとも訂正前の請求項３、６、７、８及び９のいずれか１項に記載の発明特定事項を含むことを限定するものであるから、特許請求の範囲の減縮を目的とするものであり、新規事項の追加に該当せず、また、実質上特許請求の範囲を拡張し、又は変更するものでもない。
　　　　　
（１０）訂正事項１３について
　訂正事項１３は、訂正事項１〜９により訂正された特許請求の範囲の請求項１〜１２との整合を図るため、明細書の段落【０００６】の記載を訂正するものであるから、明瞭でない記載の釈明を目的とするものでり、新規事項の追加に該当せず、また、実質上特許請求の範囲を拡張し、又は変更するものではない。
　　　　　
　３　小括
　訂正前の請求項３及び６〜９に対しては、特許異議が申し立てられておらず、また、訂正後の請求項３及び６〜１２に係る発明は、特許請求の範囲の減縮を目的とする訂正事項３及び６〜１２により訂正されるものであるから、訂正後の請求項３及び６〜１２に係る発明は、特許出願の際独立して特許を受けることができるものでなければならないものの、後述の「第５」に示すように、訂正事項３及び６〜１２により訂正される訂正後の請求項３及び６〜１２に係る発明は、特許出願の際独立して特許を受けることができるものである。
　そして、本件訂正は特許法第１２０条の５第２項第１号、第３号及び第４号に掲げる事項を目的とするものであり、かつ、同条第９項において準用する同法第１２６条第４項から第７項までの規定に適合するので、訂正後の請求項〔１〜１２〕について訂正を認める。
　　　　　
第３　訂正後の本件発明
　上述のとおり本件訂正は認められるので、本件特許の請求項３及び６〜１２に係る発明（以下、それぞれ「本件発明３」及び「本件発明６」〜「本件発明１２」という。）は、その特許請求の範囲の請求項３及び６〜１２に記載された次の事項により特定されるとおりのものである。
「【請求項３】
　エレベーターで発生するイベントを示す信号の入力を受け付けるイベント入力部と、
　エレベーターのかご内及び乗場の少なくとも一方に設置されたカメラで撮影された画像のうち前記イベント入力部によって信号が受信されたタイミングを基準とした特定の時点又は期間における画像を画像選択ルールに従って選択する画像管理部と、
　前記カメラで常時撮影されている画像のうち、前記画像管理部によって選択された画像を画像解析サーバに対してネットワークを介して送信し、前記画像管理部によって選択されなかった画像を前記画像解析サーバに対して送信しない画像送信部と、
を備え、
　前記画像管理部は、前記画像解析サーバによる画像解析の結果に基づいて画像選択ルールを修正するエレベーターの監視画像送信装置。
【請求項６】
　エレベーターで発生するイベントを示す信号の入力を受け付けるイベント入力部と、
　エレベーターのかご内及び乗場の少なくとも一方に設置されたカメラで撮影された画像のうち前記イベント入力部によって信号が受信されたタイミングを基準とした特定の時点又は期間における画像を画像選択ルールに従って選択する画像管理部と、
　前記カメラで常時撮影されている画像のうち、前記画像管理部によって選択された画像を画像解析サーバに対してネットワークを介して送信し、前記画像管理部によって選択されなかった画像を前記画像解析サーバに対して送信しない画像送信部と、
を備え、
　前記イベント入力部は、エレベーターの秤センサ及びドアセンサの少なくとも一方の出力信号を受信するエレベーターの監視画像送信装置。
【請求項７】
　エレベーターで発生するイベントを示す信号の入力を受け付けるイベント入力部と、
　エレベーターのかご内及び乗場の少なくとも一方に設置されたカメラで撮影された画像のうち前記イベント入力部によって信号が受信されたタイミングを基準とした特定の時点又は期間における画像を画像選択ルールに従って選択する画像管理部と、
　前記カメラで常時撮影されている画像のうち、前記画像管理部によって選択された画像を画像解析サーバに対してネットワークを介して送信し、前記画像管理部によって選択されなかった画像を前記画像解析サーバに対して送信しない画像送信部と、
を備え、
　前記イベント入力部は、エレベーターのかご内ボタン及び乗場ボタンの少なくとも一方が操作されたことを示す信号を受信するエレベーターの監視画像送信装置。
【請求項８】
　エレベーターで発生するイベントを示す信号の入力を受け付けるイベント入力部と、
　エレベーターのかご内及び乗場の少なくとも一方に設置されたカメラで撮影された画像のうち前記イベント入力部によって信号が受信されたタイミングを基準とした特定の時点又は期間における画像を画像選択ルールに従って選択する画像管理部と、
　前記カメラで常時撮影されている画像のうち、前記画像管理部によって選択された画像を画像解析サーバに対してネットワークを介して送信し、前記画像管理部によって選択されなかった画像を前記画像解析サーバに対して送信しない画像送信部と、
を備え、
　前記イベント入力部は、エレベーターの非常ボタンが操作されたことを示す信号を受信するエレベーターの監視画像送信装置。
【請求項９】
　エレベーターで発生するイベントを示す信号の入力を受け付けるイベント入力部と、
　エレベーターのかご内及び乗場の少なくとも一方に設置されたカメラで撮影された画像のうち前記イベント入力部によって信号が受信されたタイミングを基準とした特定の時点又は期間における画像を画像選択ルールに従って選択する画像管理部と、
　前記カメラで常時撮影されている画像のうち、前記画像管理部によって選択された画像を画像解析サーバに対してネットワークを介して送信し、前記画像管理部によって選択されなかった画像を前記画像解析サーバに対して送信しない画像送信部と、
を備え、
　前記イベント入力部は、エレベーターの地震感知器の出力信号を受信するエレベーターの監視画像送信装置。
【請求項１０】
　前記画像管理部は、前記イベント入力部によって受信された信号が示すイベントの種類に応じて異なる画像選択ルールに従って画像を選択する請求項３、請求項６、請求項７、請求項８、請求項９のいずれか１項に記載のエレベーターの監視画像送信装置。
【請求項１１】
　前記画像管理部は、前記イベント入力部によって受信された信号が示すイベントの種類に応じて、選択する画像の画質を変化させる請求項３、請求項６、請求項７、請求項８、請求項９、請求項１０のいずれか１項に記載のエレベーターの監視画像送信装置。
【請求項１２】
　前記画像管理部は、前記イベント入力部によって受信された信号が示すイベントの種類に応じて送信タイミングを決定し、
　前記画像送信部は、前記画像管理部によって決定された送信タイミングで前記画像解析サーバに対して画像を送信する請求項３、請求項６、請求項７、請求項８、請求項９、請求項１０、請求項１１のいずれか１項に記載のエレベーターの監視画像送信装置。」
　　　　　
第４　取消理由通知に記載した取消理由の概要
　訂正前の請求項１、２、４及び５に係る特許に対して、当審が令和１年５月２８日付けで特許権者に通知した取消理由の要旨は、次のとおりである。
　　　　　
　本件特許の請求項１、２、４及び５に係る発明は、本件特許の出願前日本国内または外国において頒布された下記の刊行物に記載された発明又は電気通信回線を通じて公衆に利用可能となった発明に基いて、その出願前にその発明の属する技術の分野における通常の知識を有する者が容易に発明をすることができたものであって、特許法第２９条第２項の規定により特許を受けることができないから、その発明に係る特許は取り消すべきものである。
　　　　　
　引用文献１：特開２００１−３２６９２６号公報（特許異議申立人提出の甲第１号証）
　引用文献２：特開２００８−２３４４１４号公報（同甲第２号証）
　引用文献３：特開２０００−４８２７８号公報（同甲第３号証）
　引用文献４：特開２０１７−１３５４３６号公報（同甲第４号証）
　引用文献５：特開平１０−２８３０１７号公報（同甲第５号証）
　引用文献６：特開２０１１−２５１８４６号公報（当審において追加した文献）
　　　　　
第５　独立特許要件の判断
　本件発明３及び６〜１２について、特許法第１２０条の５第９項で読み替えて準用する特許法第１２６条第７項の規定により、特許出願の際独立して特許を受けることができるか否かについて検討する。
　　　　　
（１）本件発明３及び６〜９について
　本件発明３及び６〜９は、前述の「第２　２（２）〜（６）」に示したように、訂正前の請求項１を引用する請求項３及び６〜９を、それぞれ独立形式の請求項にしたものであるところ、訂正前の請求項３及び６〜９は、特許異議が申し立てられていない請求項である。
　そうすると、本件発明３及び６〜９は、特許要件の充足いかんについて見直すべき新たな事情は存在せず、また、特許法第３６条第４項第１号又は第６条（第４号は除く）に規定する要件を満たさないものでもないから、独立特許要件を満たす。
　　　　　
（２）本件発明１０〜１２について
　本件発明１０〜１２は、前述の「第２　２（７）〜（９）」に示したように、訂正前の従属形式の請求項２、４及び５を、新たに従属形式の請求項１０〜１２へ改めたものであり、訂正前の請求項２、４及び５のいずれか１項に記載の発明特定事項を含むものにおいて、更に少なくとも訂正前の請求項３、６、７、８及び９のいずれか１項に記載の発明特定事項を含むものである。
　ここで、訂正前の請求項３、６、７、８及び９は、特許異議が申し立てられていない請求項である。
　そうすると、本件発明１０〜１２は、特許要件の充足いかんについて見直すべき新たな事情は存在せず、また、特許法第３６条第４項第１号又は第６条（第４号は除く）に規定する要件を満たさないものでもないから、独立特許要件を満たす。
　　　　　
第６　むすび
　以上のとおりであるから、取消理由通知に記載した取消理由及び特許異議申立書に記載した特許異議申立理由に照らしても、本件発明３及び６〜１２に係る特許を取り消すことはできない。
　また、他に本件発明３及び６〜１２に係る特許を取り消すべき理由を発見しない。
　また、請求項１、２、４及び５は、訂正により削除されたため、本件特許の請求項１、２、４及び５に対して、異議申立人がした特許異議申立については、対象となる請求項が存在しない。
　よって、結論のとおり決定する。
【異議決定日】
令和１年８月２３日（２０１９．８．２３）
【訂正の要旨】
審決（決定）の【理由】欄参照。
（５４）【発明の名称】
エレベーターの監視画像送信装置
　【技術分野】
　【０００１】
　この発明は、エレベーターの監視画像送信装置に関する。
　【背景技術】
　【０００２】
　従来、かご内又は乗場に設置された監視カメラの撮影画像を解析した結果に基づいてエレベーターを制御するシステムが知られている。このようなシステムとして、例えば、下記特許文献１に記載されたものがある。
　【先行技術文献】
　【特許文献】
　【０００３】
　【特許文献１】日本特開２０１１−２５１８４６号公報
　【発明の概要】
　【発明が解決しようとする課題】
　【０００４】
　上記のようなシステムでは、例えば、ネットワークを介してエレベーター側の機器と接続されたサーバで画像解析が行われる。この場合、サーバに対して画像データが送信されることによりネットワークの負荷が増大する。
　【０００５】
　この発明は、上記の課題を解決するためになされた。その目的は、ネットワークの負荷を軽減することができるエレベーターの監視画像送信装置を提供することである。
　【課題を解決するための手段】
　【０００６】
　この発明に係るエレベーターの監視画像送信装置は、エレベーターで発生するイベントを示す信号の入力を受け付けるイベント入力部と、エレベーターのかご内及び乗場の少なくとも一方に設置されたカメラで撮影された画像のうちイベント入力部によって信号が受信されたタイミングを基準とした特定の時点又は期間における画像を画像選択ルールに従って選択する画像管理部と、カメラで常時撮影されている画像のうち、画像管理部によって選択された画像を画像解析サーバに対してネットワークを介して送信し、画像管理部によって選択されなかった画像を画像解析サーバに対して送信しない画像送信部と、を備え
、前記画像管理部は、前記画像解析サーバによる画像解析の結果に基づいて画像選択ルールを修正する
　
この発明に係るエレベーターの監視画像送信装置は、エレベーターで発生するイベントを示す信号の入力を受け付けるイベント入力部と、エレベーターのかご内及び乗場の少なくとも一方に設置されたカメラで撮影された画像のうちイベント入力部によって信号が受信されたタイミングを基準とした特定の時点又は期間における画像を画像選択ルールに従って選択する画像管理部と、カメラで常時撮影されている画像のうち、画像管理部によって選択された画像を画像解析サーバに対してネットワークを介して送信し、画像管理部によって選択されなかった画像を画像解析サーバに対して送信しない画像送信部と、を備え、前記イベント入力部は、エレベーターの秤センサ及びドアセンサの少なくとも一方の出力信号を受信する。
　
この発明に係るエレベーターの監視画像送信装置は、エレベーターで発生するイベントを示す信号の入力を受け付けるイベント入力部と、エレベーターのかご内及び乗場の少なくとも一方に設置されたカメラで撮影された画像のうちイベント入力部によって信号が受信されたタイミングを基準とした特定の時点又は期間における画像を画像選択ルールに従って選択する画像管理部と、カメラで常時撮影されている画像のうち、画像管理部によって選択された画像を画像解析サーバに対してネットワークを介して送信し、画像管理部によって選択されなかった画像を画像解析サーバに対して送信しない画像送信部と、を備え、前記イベント入力部は、エレベーターのかご内ボタン及び乗場ボタンの少なくとも一方が操作されたことを示す信号を受信する。
　
この発明に係るエレベーターの監視画像送信装置は、エレベーターで発生するイベントを示す信号の入力を受け付けるイベント入力部と、エレベーターのかご内及び乗場の少なくとも一方に設置されたカメラで撮影された画像のうちイベント入力部によって信号が受信されたタイミングを基準とした特定の時点又は期間における画像を画像選択ルールに従って選択する画像管理部と、カメラで常時撮影されている画像のうち、画像管理部によって選択された画像を画像解析サーバに対してネットワークを介して送信し、画像管理部によって選択されなかった画像を画像解析サーバに対して送信しない画像送信部と、を備え、前記イベント入力部は、エレベーターの非常ボタンが操作されたことを示す信号を受信する。
　
この発明に係るエレベーターの監視画像送信装置は、エレベーターで発生するイベントを示す信号の入力を受け付けるイベント入力部と、エレベーターのかご内及び乗場の少なくとも一方に設置されたカメラで撮影された画像のうちイベント入力部によって信号が受信されたタイミングを基準とした特定の時点又は期間における画像を画像選択ルールに従って選択する画像管理部と、カメラで常時撮影されている画像のうち、画像管理部によって選択された画像を画像解析サーバに対してネットワークを介して送信し、画像管理部によって選択されなかった画像を画像解析サーバに対して送信しない画像送信部と、を備え、前記イベント入力部は、エレベーターの地震感知器の出力信号を受信する。
　【発明の効果】
　【０００７】
　この発明によれば、撮影された画像のうち特定の時点又は期間における画像が画像解析サーバに対して送信される。このため、ネットワークの負荷を軽減することができる。
　【図面の簡単な説明】
　【０００８】
　【図１】実施の形態１におけるエレベーターの画像解析システムの構成図である。
　【図２】監視画像送信装置のハードウェア構成図である。
　【発明を実施するための形態】
　【０００９】
　添付の図面を参照して、この発明を実施するための形態について説明する。各図では、同一又は相当する部分に同一の符号が付される。重複する説明は、適宜簡略化あるいは省略する。
　【００１０】
実施の形態１．
　図１は、実施の形態１におけるエレベーターの画像解析システムの構成図である。
　【００１１】
　画像解析システムは、監視画像送信装置１を備える。監視画像送信装置１は、例えば、エレベーターが設置されている建物に設置される。
　【００１２】
　監視画像送信装置１は、エレベーターに設置された各種機器と電気的に接続されている。監視画像送信装置１は、例えば、秤センサ２、ドアセンサ３、地震感知器４、かご内ボタン５、乗場ボタン６、非常ボタン７、かご内カメラ８、乗場カメラ９、エレベーター制御部１０、かご内ディスプレイ１１、乗場ディスプレイ１２、かご内スピーカー１３及び乗場スピーカー１４と電気的に接続されている。
　【００１３】
　監視画像送信装置１は、ネットワーク１５を介して画像解析サーバ１６と通信可能である。画像解析サーバ１６は、例えば、監視画像送信装置１が設置されている建物とは異なる建物に設置されている。画像解析サーバ１６は、例えば、異なる建物に設置された複数の監視画像送信装置１のそれぞれと通信してもよい。
　【００１４】
　秤センサ２は、例えば、エレベーターのロープ端部又はかご等に設けられている。秤センサ２は、かごに掛かる負荷を計測する。秤センサ２は、例えば、計測した負荷の大きさを示す信号を出力する。
　【００１５】
　ドアセンサ３は、例えば、エレベーターのドアに設けられた赤外線センサ等である。ドアセンサ３は、かごへの利用者の乗降を検出する。ドアセンサ３は、例えば、利用者の乗降を検出するたびに信号を出力する。
　【００１６】
　地震感知器４は、例えば、エレベーターの昇降路の底部に設けられている。地震感知器４は、地震等による揺れを検出する。地震感知器４は、例えば、一定以上の強さの揺れを検出した場合に信号を出力する。
　【００１７】
　かご内ボタン５は、例えば、エレベーターのかご内に設けられた行先階ボタン、戸開ボタン又は戸閉ボタン等である。乗場ボタン６は、例えば、エレベーターの乗場に設けられた上方向ボタン、下方向ボタン又は行先階ボタン等である。非常ボタン７は、例えば、エレベーターのかご内に設けられている。かご内ボタン５、乗場ボタン６又は非常ボタン７が利用者によって操作されると、そのボタンに対応する信号が出力される。
　【００１８】
　例えば、秤センサ２、ドアセンサ３、かご内ボタン５及び乗場ボタン６からの信号は、通常時に出力され得る信号である。例えば、地震感知器４及び非常ボタン７からの信号は、非常時に出力され得る信号である。
　【００１９】
　かご内カメラ８は、例えば、エレベーターのかご内の壁面又は天井等に設けられている。かご内カメラ８は、例えば、かご内を常時撮影する。
　【００２０】
　乗場カメラ９は、例えば、エレベーターの乗場の壁面又は天井等に設けられている。乗場カメラ９は、例えば、乗場を常時撮影する。
　【００２１】
　エレベーター制御部１０は、例えば、昇降路又は機械室等に設けられた制御装置等である。エレベーター制御部１０は、エレベーターの動作を制御する。エレベーター制御部１０は、例えば、秤センサ２、ドアセンサ３、地震感知器４、かご内ボタン５、乗場ボタン６又は非常ボタン７等からの信号に基づいて、かごの移動又はドアの開閉等を制御する。
　【００２２】
　かご内ディスプレイ１１は、例えば、エレベーターのかご内の壁面等に設けられている。かご内ディスプレイ１１は、例えば、文字及び画像等の視覚情報を表示する。
　【００２３】
　乗場ディスプレイ１２は、例えば、エレベーターの乗場の壁面等に設けられている。乗場ディスプレイ１２は、例えば、文字及び画像等の視覚情報を表示する。
　【００２４】
　かご内スピーカー１３は、例えば、エレベーターのかご内の壁面又は天井等に設けられている。かご内スピーカー１３は、例えば、ブザー音及び音声アナウンス等の聴覚情報を放送する。
　【００２５】
　乗場スピーカー１４は、例えば、エレベーターの乗場の壁面又は天井等に設けられている。乗場スピーカー１４は、例えば、ブザー音及び音声アナウンス等の聴覚情報を放送する。
　【００２６】
　監視画像送信装置１は、イベント入力部１７、画像管理部１８、画像選択ルールデータベース１９、画像送信部２０及び画像解析結果受信部２１を備える。図中において、「データベース」という用語は「ＤＢ」と表記されている。
　【００２７】
　イベント入力部１７は、エレベーターで発生するイベントを示す信号の入力を受け付ける。イベント入力部１７は、例えば、秤センサ２、ドアセンサ３及び地震感知器４の出力信号を受信する。イベント入力部１７は、例えば、かご内ボタン５、乗場ボタン６又は非常ボタン７が操作されたことを示す信号を受信する。
　【００２８】
　画像管理部１８は、イベント入力部１７によって信号が受信されると、画像選択ルールデータベース１９を参照する。画像選択ルールデータベース１９には、予め設定された画像選択ルールが記憶されている。
　【００２９】
　画像管理部１８は、画像選択ルールに従って、かご内カメラ８及び乗場カメラ９の少なくとも一方で撮影された画像のうち特定の時点又は期間における画像を解析対象として選択する。解析対象となる画像は、静止画でもよいし、動画でもよい。
　【００３０】
　画像送信部２０は、画像管理部１８によって選択された画像を画像解析サーバ１６に対してネットワーク１５を介して送信する。画像送信部２０は、かご内カメラ８及び乗場カメラ９で撮影された画像のうち画像管理部１８によって選択されなかった画像を画像解析サーバ１６に送信しない。
　【００３１】
　画像解析サーバ１６は、監視画像送信装置１から受信した画像を解析することで、エレベーターのかご内又は乗場の状態を認識する。
　【００３２】
　画像解析サーバ１６は、画像解析により、例えば、かご内の乗車人数を検出する。
　【００３３】
　画像解析サーバ１６は、画像解析により、例えば、乗場の待ち客人数を検出する。
　【００３４】
　画像解析サーバ１６は、画像解析により、例えば、かご内が無人状態であるか否かを判定する。
　【００３５】
　画像解析サーバ１６は、画像解析により、例えば、画像に写っている利用者の属性を検出する。
　【００３６】
　利用者の属性には、例えば、年齢及び性別が含まれる。利用者の属性としての年齢は、例えば、子供、大人又は高齢者として検出される。また、利用者の属性には、例えば、車いす、ベビーカー、自転車及び台車等の有無が含まれる。
　【００３７】
　画像解析サーバ１６は、画像解析の結果を監視画像送信装置１に対して送信する。
　【００３８】
　画像解析結果受信部２１は、画像解析サーバ１６から画像解析の結果を受信する。画像解析結果受信部２１は、画像解析の結果をエレベーター制御部１０に送信する。
　【００３９】
　エレベーター制御部１０は、画像解析の結果に基づいてエレベーターの動作を制御する。
　【００４０】
　エレベーター制御部１０は、例えば、画像解析の結果に含まれる利用者の属性が高齢者、車いす又はベビーカーのいずれかである場合に、かごの移動速度及びドアの開閉速度を低下させる。
　【００４１】
　また、画像解析サーバ１６は、例えば、画像解析の結果から利用者属性別の統計情報を作成してもよい。画像解析サーバ１６は、例えば、統計情報をエレベーターの管理者又は建物のオーナー等に報告してもよい。
　【００４２】
　また、画像解析結果受信部２１は、例えば、画像解析の結果をかご内ディスプレイ１１及び乗場ディスプレイ１２の少なくとも一方に送信してもよい。かご内ディスプレイ１１は、例えば、画像解析の結果に基づく情報を表示してもよい。乗場ディスプレイ１２は、例えば、画像解析の結果に基づく情報を表示してもよい。
　【００４３】
　また、画像解析結果受信部２１は、例えば、画像解析の結果をかご内スピーカー１３及び乗場スピーカー１４の少なくとも一方に送信してもよい。かご内スピーカー１３は、例えば、画像解析の結果に基づく音声アナウンスを放送してもよい。乗場スピーカー１４は、例えば、画像解析の結果に基づく音声アナウンスを放送してもよい。
　【００４４】
　例えば、画像解析の結果に含まれる利用者の属性が車いすである場合に、乗場スピーカー１４で「車いすの方が降車されます。ドアの前を空けてください」などとアナウンスしてもよい。
　【００４５】
　以下、画像選択ルール及び画像管理部１８の動作について詳細に説明する。
　【００４６】
　画像選択ルールは、例えば、イベント入力部１７によって信号が受信されたタイミングを基準とした特定の時点を示す情報として設定される。特定の時点とは、例えば、イベント入力部１７によって信号が受信されてから遅くとも１０秒以内の時点である。この画像選択ルールに従う場合、画像管理部１８は、撮影された動画のうち特定の瞬間を切り出した静止画を解析対象として選択する。
　【００４７】
　なお、画像選択ルールは、例えば、イベント入力部１７によって信号が受信された１つのタイミングを基準とした複数の時点を示す情報として設定されてもよい。つまり、画像管理部１８は、例えば、撮影された動画のうち複数の異なる瞬間を切り出すことで、複数の静止画を解析対象として選択してもよい。
　【００４８】
　例えば、イベント入力部１７によってドアセンサ３の出力信号が受信されてから１秒後の時点を示す情報が、画像選択ルールとして設定され得る。この場合、利用者がかごに乗り込んだ直後又は利用者がかごから降りた直後の状態が写った１枚の静止画が解析対象として選択される。
　【００４９】
　例えば、イベント入力部１７によってドアセンサ３の出力信号が受信されてから１秒後、１．５秒後及び２秒後の時点を示す情報が、画像選択ルールとして設定され得る。この場合、利用者がかごに乗り込んだ直後又は利用者がかごから降りた直後の状態が写った３枚の静止画が解析対象として選択される。
　【００５０】
　画像選択ルールは、例えば、イベント入力部１７によって信号が受信されたタイミングを基準とした特定の期間を示す情報として設定されてもよい。特定の期間の開始点は、例えば、イベント入力部１７によって信号が受信されてから遅くとも１０秒以内の時点である。この画像選択ルールに従う場合、画像管理部１８は、撮影された動画のうち特定の時間範囲を切り出した動画を解析対象として選択する。
　【００５１】
　なお、画像選択ルールは、例えば、イベント入力部１７によって信号が受信された１つのタイミングを基準とした複数の期間を示す情報として設定されてもよい。つまり、画像管理部１８は、例えば、撮影された動画のうち複数の異なる時間範囲を切り出すことで、複数の動画を解析対象として選択してもよい。
　【００５２】
　実施の形態１によれば、画像管理部１８は、エレベーターのかご内及び乗場の少なくとも一方に設置されたカメラで撮影された画像のうちイベント入力部１７によって信号が受信されたタイミングを基準とした特定の時点又は期間における画像を画像選択ルールに従って選択する。画像送信部２０は、画像管理部１８によって選択された画像を画像解析サーバ１６に対してネットワーク１５を介して送信する。このため、撮影された画像のうち特定の時点又は期間における画像だけが画像解析サーバ１６に対して送信される。その結果、送信されるデータ量を抑制し、ネットワークの負荷を軽減することができる。また、画像解析サーバの処理負荷を軽減することができる。
　【００５３】
　実施の形態１において、画像選択ルールは、例えば、イベントの種類ごとに個別に設定されてもよい。つまり、画像管理部１８は、例えば、イベント入力部１７によって受信された信号が示すイベントの種類に応じて異なる画像選択ルールに従って画像を選択してもよい。具体的には、例えば、通常時に出力され得る信号に対応する画像選択ルールでは１枚の静止画を解析対象とし、非常時に出力され得る信号に対応する画像選択ルールでは動画又は複数枚の静止画を解析対象としてもよい。これにより、イベントの重要度に応じて送信されるデータ量を調整し、ネットワークの負荷と画像解析の精度とのバランスを取ることができる。
　【００５４】
　実施の形態１において、画像管理部１８は、例えば、画像解析サーバ１６による画像解析の結果に基づいて画像選択ルールを修正してもよい。画像管理部１８は、例えば、かご内又は乗場の状態を認識できない旨の解析結果が画像解析結果受信部２１によって受信された場合に、画像解析が成功し易くなるように画像選択ルールを修正してもよい。これにより、画像解析の精度が低下することを防止できる。
　【００５５】
　画像管理部１８は、例えば、撮影された動画から解析対象となる静止画を切り出す瞬間を変更することで、画像選択ルールを修正してもよい。画像管理部１８は、例えば、撮影された動画から解析対象となる動画を切り出す時間範囲を拡大することで、画像選択ルールを修正してもよい。画像管理部１８は、例えば、撮影された動画から解析対象となる複数の静止画を切り出す瞬間の数又は複数の動画を切り出す時間範囲の数を増やすことで、画像選択ルールを修正してもよい。画像管理部１８は、例えば、解析対象となる画像を静止画から動画に変更することで、画像選択ルールを修正してもよい。
　【００５６】
　なお、画像選択ルールの修正内容は、画像解析サーバ１６によって決定されてもよい。この場合、画像選択ルールデータベース１９が画像解析サーバ１６から修正内容を直接受信して画像選択ルールを更新してもよい。
　【００５７】
　実施の形態１において、画像管理部１８は、例えば、イベント入力部１７によって受信された信号が示すイベントの種類に応じて、解析対象として選択する画像の画質を変化させてもよい。画像管理部１８は、例えば、通常時に出力され得る信号がイベント入力部１７によって受信された場合は、解析対象とする画像の画質を標準画質又は低画質としてもよい。画像管理部１８は、例えば、非常時に出力され得る信号がイベント入力部１７によって受信された場合は、解析対象とする画像の画質を高画質としてもよい。これにより、イベントの重要度に応じて送信されるデータ量を調整し、ネットワークの負荷と画像解析の精度とのバランスを取ることができる。
　【００５８】
　また、画像管理部１８は、例えば、イベント入力部１７によって信号が受信された時間帯に応じて、解析対象として選択する画像の画質を変化させてもよい。例えば、エレベーターのかご内又は乗場に日光が当たるようになっている場合、日中は解析対象とする画像の画質を相対的に低くし、夜間は解析対象とする画像の画質を相対的に高くしてもよい。これにより、ネットワークの負荷と画像解析の精度とのバランスを取ることができる。
　【００５９】
　実施の形態１において、画像管理部１８は、例えば、イベント入力部１７によって受信された信号が示すイベントの種類に応じて送信タイミングを決定してもよい。画像送信部２０は、例えば、画像管理部１８によって決定された送信タイミングで画像解析サーバ１６に対して画像を送信してもよい。例えば、利用者の属性又は乗車人数等の統計情報を収集することが目的であれば、通常時に出力され得る信号に起因して解析対象として選択された画像は、即座に送信されるのではなく、夜間等のネットワーク負荷が低い時間帯に送信されることにより、特定の時間帯に負荷が集中することを抑制できる。
　【００６０】
　実施の形態１によれば、イベント入力部１７は、イベントを示す信号として、例えば、エレベーターの秤センサ２及びドアセンサ３の少なくとも一方の出力信号を受信する。このため、利用者がかごに乗降した瞬間が写っている画像を解析対象として選択できる。
　【００６１】
　実施の形態１によれば、イベント入力部１７は、イベントを示す信号として、例えば、エレベーターのかご内ボタン５及び乗場ボタン６の少なくとも一方が操作されたことを示す信号を受信する。このため、利用者がかご内又は乗場で呼び操作をした瞬間が写っている画像を解析対象として選択できる。
　【００６２】
　実施の形態１によれば、イベント入力部１７は、イベントを示す信号として、例えば、エレベーターの非常ボタン７が操作されたことを示す信号を受信する。このため、利用者がかご内で非常ボタン７を押した瞬間が写っている画像を解析対象として選択できる。
　【００６３】
　実施の形態１によれば、イベント入力部１７は、イベントを示す信号として、例えば、エレベーターの地震感知器４の出力信号を受信する。このため、地震発生時のかご内又は乗場の画像を解析対象として選択できる。また、画像解析によって地震発生時にかご内が無人状態であることが検出された場合、エレベーター制御部１０は、エレベーターの自動復旧運転を実施できる。
　【００６４】
　図２は、監視画像送信装置のハードウェア構成図である。
　【００６５】
　監視画像送信装置１におけるイベント入力部１７、画像管理部１８、画像選択ルールデータベース１９、画像送信部２０及び画像解析結果受信部２１の各機能は、処理回路により実現される。処理回路は、専用ハードウェア５０であってもよい。処理回路は、プロセッサ５１およびメモリ５２を備えていてもよい。処理回路は、一部が専用ハードウェア５０として形成され、更にプロセッサ５１およびメモリ５２を備えていてもよい。図２は、処理回路が、その一部が専用ハードウェア５０として形成され、プロセッサ５１およびメモリ５２を備えている場合の例を示している。
　【００６６】
　処理回路の少なくとも一部が、少なくとも１つの専用ハードウェア５０である場合、処理回路は、例えば、単一回路、複合回路、プログラム化したプロセッサ、並列プログラム化したプロセッサ、ＡＳＩＣ、ＦＰＧＡ、又はこれらを組み合わせたものが該当する。
　【００６７】
　処理回路が少なくとも１つのプロセッサ５１および少なくとも１つのメモリ５２を備える場合、監視画像送信装置１の各機能は、ソフトウェア、ファームウェア、又はソフトウェアとファームウェアとの組み合わせにより実現される。ソフトウェアおよびファームウェアはプログラムとして記述され、メモリ５２に格納される。プロセッサ５１は、メモリ５２に記憶されたプログラムを読み出して実行することにより、各部の機能を実現する。プロセッサ５１は、ＣＰＵ（Ｃｅｎｔｒａｌ　Ｐｒｏｃｅｓｓｉｎｇ　Ｕｎｉｔ）、中央処理装置、処理装置、演算装置、マイクロプロセッサ、マイクロコンピュータ、ＤＳＰとも呼ぶ。メモリ５２は、例えば、ＲＡＭ、ＲＯＭ、フラッシュメモリー、ＥＰＲＯＭ、ＥＥＰＲＯＭ等の、不揮発性又は揮発性の半導体メモリ、磁気ディスク、フレキシブルディスク、光ディスク、コンパクトディスク、ミニディスク、ＤＶＤ等が該当する。
　【００６８】
　このように、処理回路は、ハードウェア、ソフトウェア、ファームウェア、又はこれらの組み合わせによって、監視画像送信装置１の各機能を実現することができる。
　【産業上の利用可能性】
　【００６９】
　以上のように、この発明は、ネットワークを介してエレベーター側の機器と接続されたサーバで画像解析が行われるシステムに利用できる。
　【符号の説明】
　【００７０】
１　監視画像送信装置
２　秤センサ
３　ドアセンサ
４　地震感知器
５　かご内ボタン
６　乗場ボタン
７　非常ボタン
８　かご内カメラ
９　乗場カメラ
１０　エレベーター制御部
１１　かご内ディスプレイ
１２　乗場ディスプレイ
１３　かご内スピーカー
１４　乗場スピーカー
１５　ネットワーク
１６　画像解析サーバ
１７　イベント入力部
１８　画像管理部
１９　画像選択ルールデータベース
２０　画像送信部
２１　画像解析結果受信部
５０　専用ハードウェア
５１　プロセッサ
５２　メモリ
（５７）【特許請求の範囲】
　【請求項１】
（削除）
　【請求項２】
（削除）
　【請求項３】
　
エレベーターで発生するイベントを示す信号の入力を受け付けるイベント入力部と、
　
エレベーターのかご内及び乗場の少なくとも一方に設置されたカメラで撮影された画像のうち前記イベント入力部によって信号が受信されたタイミングを基準とした特定の時点又は期間における画像を画像選択ルールに従って選択する画像管理部と、
　
前記カメラで常時撮影されている画像のうち、前記画像管理部によって選択された画像を画像解析サーバに対してネットワークを介して送信し、前記画像管理部によって選択されなかった画像を前記画像解析サーバに対して送信しない画像送信部と、
を備え、
　前記画像管理部は、前記画像解析サーバによる画像解析の結果に基づいて画像選択ルールを修正す
るエ
　【請求項４】
（削除）
　【請求項５】
（削除）
　【請求項６】
　
エレベーターで発生するイベントを示す信号の入力を受け付けるイベント入力部と、
　
エレベーターのかご内及び乗場の少なくとも一方に設置されたカメラで撮影された画像のうち前記イベント入力部によって信号が受信されたタイミングを基準とした特定の時点又は期間における画像を画像選択ルールに従って選択する画像管理部と、
　
前記カメラで常時撮影されている画像のうち、前記画像管理部によって選択された画像を画像解析サーバに対してネットワークを介して送信し、前記画像管理部によって選択されなかった画像を前記画像解析サーバに対して送信しない画像送信部と、
を備え、
　前記イベント入力部は、エレベーターの秤センサ及びドアセンサの少なくとも一方の出力信号を受信す
るエ
　【請求項７】
　
エレベーターで発生するイベントを示す信号の入力を受け付けるイベント入力部と、
　
エレベーターのかご内及び乗場の少なくとも一方に設置されたカメラで撮影された画像のうち前記イベント入力部によって信号が受信されたタイミングを基準とした特定の時点又は期間における画像を画像選択ルールに従って選択する画像管理部と、
　
前記カメラで常時撮影されている画像のうち、前記画像管理部によって選択された画像を画像解析サーバに対してネットワークを介して送信し、前記画像管理部によって選択されなかった画像を前記画像解析サーバに対して送信しない画像送信部と、
を備え、
　前記イベント入力部は、エレベーターのかご内ボタン及び乗場ボタンの少なくとも一方が操作されたことを示す信号を受信す
るエ
　【請求項８】
　
エレベーターで発生するイベントを示す信号の入力を受け付けるイベント入力部と、
　
エレベーターのかご内及び乗場の少なくとも一方に設置されたカメラで撮影された画像のうち前記イベント入力部によって信号が受信されたタイミングを基準とした特定の時点又は期間における画像を画像選択ルールに従って選択する画像管理部と、
　
前記カメラで常時撮影されている画像のうち、前記画像管理部によって選択された画像を画像解析サーバに対してネットワークを介して送信し、前記画像管理部によって選択されなかった画像を前記画像解析サーバに対して送信しない画像送信部と、
を備え、
　前記イベント入力部は、エレベーターの非常ボタンが操作されたことを示す信号を受信す
るエ
　【請求項９】
　
エレベーターで発生するイベントを示す信号の入力を受け付けるイベント入力部と、
　
エレベーターのかご内及び乗場の少なくとも一方に設置されたカメラで撮影された画像のうち前記イベント入力部によって信号が受信されたタイミングを基準とした特定の時点又は期間における画像を画像選択ルールに従って選択する画像管理部と、
　
前記カメラで常時撮影されている画像のうち、前記画像管理部によって選択された画像を画像解析サーバに対してネットワークを介して送信し、前記画像管理部によって選択されなかった画像を前記画像解析サーバに対して送信しない画像送信部と、
を備え、
　前記イベント入力部は、エレベーターの地震感知器の出力信号を受信す
るエ
　【請求項１０】
　
前記画像管理部は、前記イベント入力部によって受信された信号が示すイベントの種類に応じて異なる画像選択ルールに従って画像を選択する請求項３、請求項６、請求項７、請求項８、請求項９のいずれか１項に記載のエレベーターの監視画像送信装置。
　【請求項１１】
　
前記画像管理部は、前記イベント入力部によって受信された信号が示すイベントの種類に応じて、選択する画像の画質を変化させる請求項３、請求項６、請求項７、請求項８、請求項９、請求項１０のいずれか１項に記載のエレベーターの監視画像送信装置。
　【請求項１２】
　
前記画像管理部は、前記イベント入力部によって受信された信号が示すイベントの種類に応じて送信タイミングを決定し、
　
前記画像送信部は、前記画像管理部によって決定された送信タイミングで前記画像解析サーバに対して画像を送信する請求項３、請求項６、請求項７、請求項８、請求項９、請求項１０、請求項１１のいずれか１項に記載のエレベーターの監視画像送信装置。